(57)【要約】【課題】  買い物カゴに装着でき、レジで精算の終了後に、買い物カゴから取り外して、買い物カゴからの入れ替え作業を省略できるようにした買い物袋を提供する。【解決手段】  買い物袋１は、第１の表面部１５と第２の表面部１７とからなり、第１の表面部１５の両側と第２の表面部１７の両側が接合されて縫製された袋本体２と、第１及び第２の提げ手５ａ、５ｂとからなる。第１の表面部１５と第２の表面部１７の両側は、所定位置Ｐまで縫製部４８，４９が形成され、所定位置Ｐから上端Ａまで分離されて切れ目４６，４７が形成されている。一方の切れ目４６を挟む第１の表面部１５の一端と第２の表面部１７の一端は、第１の弾性帯５１によって連結されている。他方の切れ目４７を挟む第１の表面部１５の他端と第２の表面部１７の他端は、第２の弾性帯５２によって連結されている。【選択図】        図１
2010246644.tif 000002
【特許請求の範囲】
【請求項１】
第１の表面部と第２の表面部とからなり、第１の表面部の両側と第２の表面部の両側が接合されて縫製され、上部に商品を出し入れする開口が形成された袋本体と、
第１の表面部と第２の表面部の上部に両端が縫製されて取り付けられた第１及び第２の提げ手とからなる買い物袋であって、
前記第１の表面部と第２の表面部の両側は、所定位置まで縫製部が形成され、所定位置から上端まで分離されて切れ目が形成されており、
一方の切れ目を挟む第１の表面部の一端と第２の表面部の一端は、第１の弾性帯によって連結され、
他方の切れ目を挟む第１の表面部の他端と第２の表面部の他端は、第２の弾性帯によって連結されていることを特徴とする買い物袋。
【請求項２】
袋本体の内側であって、一方の縫製部を挟む第１の表面部と第２の表面部に第１のポケットシートを縫製して第１のポケットを形成し、
他方の縫製部を挟む第１の表面部と第２の表面部に第２のポケットシートを縫製して第２のポケットを形成したことを特徴とする請求項１記載の買い物袋。
【請求項３】
第１及び第２の表面部の上端が内側に折り返されて折返部が形成され、
前記第１の提げ手の両側が第１の表面部の折返部に縫製され、前記第２の提げ手の両側が第２の表面部の折返部に縫製されていることを特徴とする請求項１又は２記載の買い物袋。
【請求項４】
袋本体の内側に取り付けられる略矩形状のハンモックシートであって、
ハンモックシートの先端は、第１の表面部の折返部の内側に差し込まれて縫製され、ハンモックシートの後端側には、前記第２の提げ手の両側に取り付けられた被係止手段に着脱可能に係止される係止手段が設けられていることを特徴とする請求項１、２又は３記載の買い物袋。
【請求項５】
ハンモックシートの右端又は左端の一方には、接続具を備えた連結片が設けられ、
ハンモックシートの所定箇所には、ハンモックシートを前記袋本体を挟み込むようにして折り畳んだ状態の時に、前記連結片の接続具を接続する被接続具が設けられていることを特徴とする請求項４記載の買い物袋。
【発明の詳細な説明】
【技術分野】
【０００１】
本発明は、スーパーマーケット、コンビニエンスストア等の店で買い物をした時、その商品を入れる買い物袋に関する。
【背景技術】
【０００２】
従来、スーパーマーケット、コンビニエンスストア等の店で買い物をした時には、買い物をした店の買い物カゴに商品を入れ、商品を入れた買い物カゴをレジに持って行き、レジにて精算をしてもらうことになる。レジの精算は、商品を入れた買い物カゴとは別の買い物カゴが用意されており、一つ一つ商品の金額を機械で読み取った後、別の買い物カゴに入れ替えられる。別の買い物カゴに入れ替えられた商品は、店のビニール袋に入れて持ち帰ることが一般的に行われている。
【０００３】
しかし、店で提供されるビニール袋の廃棄処分が環境に悪影響を及ぼすことが問題視される昨今、買い物袋を持参することが多く見受けられるようになっている。この従来の買い物袋は、第１の表面部と第２の表面部とからなり、第１の表面部の両側と第２の表面部の両側が接合されて縫製され、上部に商品を出し入れする開口が形成された袋本体と、第１の表面部と第２の表面部の上部に両端が縫製されて取り付けられた第１及び第２の提げ手とからなる（例えば、特許文献１）。
【先行技術文献】
【特許文献】
【０００４】
【特許文献１】特開２００８−１３２２３３号公報
【発明の概要】
【発明が解決しようとする課題】
【０００５】
従来の買い物袋は、スーパーマーケット、コンビニエンスストア等の店の商品を買い物カゴに入れてレジに持って行き、レジで精算後に買い物カゴから持参した買い物袋に商品を入れ替えるのであるが、この入れ替え作業が極めて面倒であるという問題点があった。特に、入れ替え作業は、店に備え付けのテーブルを利用して行われるが、夕方等の混雑時に空いているテーブルを探すのに苦労し、買った商品を買い物袋に迅速に入れ替えることが困難であった。
【０００６】
本願発明は、上記問題点に鑑み案出したものであって、レジでの精算時に、商品を入れ替える別の買い物カゴに装着でき、レジで精算の終了後に、買い物カゴから取り外して、買い物カゴからの入れ替え作業を省略できるようにした買い物袋を提供することを目的とする。
【課題を解決するための手段】
【０００７】
本願請求項１に係る買い物袋は、上記目的を達成するため、第１の表面部と第２の表面部とからなり、第１の表面部の両側と第２の表面部の両側が接合されて縫製され、上部に商品を出し入れする開口が形成された袋本体と、第１の表面部と第２の表面部の上部に両端が縫製されて取り付けられた第１及び第２の提げ手とからなる買い物袋であって、前記第１の表面部と第２の表面部の両側は、所定位置まで縫製部が形成され、所定位置から上端まで分離されて切れ目が形成されており、一方の切れ目を挟む第１の表面部の一端と第２の表面部の一端は、第１の弾性帯によって連結され、他方の切れ目を挟む第１の表面部の他端と第２の表面部の他端は、第２の弾性帯によって連結されていることを特徴とする。
【０００８】
本願請求項２に係る買い物袋は、上記目的を達成するため、袋本体の内側であって、一方の縫製部を挟む第１の表面部と第２の表面部に第１のポケットシートを縫製して第１のポケットを形成し、他方の縫製部を挟む第１の表面部と第２の表面部に第２のポケットシートを縫製して第２のポケットを形成したことを特徴とする。
【０００９】
本願請求項３に係る買い物袋は、上記目的を達成するため、第１及び第２の表面部の上端が内側に折り返されて折返部が形成され、前記第１の提げ手の両側が第１の表面部の折返部に縫製され、前記第２の提げ手の両側が第２の表面部の折返部に縫製されていることを特徴とする。
【００１０】
本願請求項４に係る買い物袋は、上記目的を達成するため、袋本体の内側に取り付けられる略矩形状のハンモックシートであって、ハンモックシートの先端は、第１の表面部の折返部の内側に差し込まれて縫製され、ハンモックシートの後端側には、前記第２の提げ手の両側に取り付けられた被係止手段に着脱可能に係止される係止手段が設けられていることを特徴とする。
【００１１】
本願請求項５に係る買い物袋は、上記目的を達成するため、ハンモックシートの右端又は左端の一方には、接続具を備えた連結片が設けられ、ハンモックシートの所定箇所には、ハンモックシートを前記袋本体を挟み込むようにして折り畳んだ状態の時に、前記連結片の接続具を接続する被接続具が設けられていることを特徴とする。
【発明の効果】
【００１２】
本願発明に係る買い物袋は、弾性帯の弾性に抗して切れ目を略Ｖ字状に拡げるようにして、第１の表面部の上部と第２の表面部の上部を買い物カゴの周縁に引っ掛けて、買い物カゴに装着することができる。本願発明に係る買い物袋は、切れ目が弾性帯によって閉じる方向に付勢されているので、第１の表面部の上部と第２の表面部の上部が買い物カゴの周縁に圧着し、買い物カゴに確実に装着することができるという効果がある。本願発明に係る買い物袋は、レジでの精算時に、商品を入れ替え得る別の買い物カゴに装着しておき、レジで精算の終了後に、買い物カゴから取り外して、買い物カゴから買い物袋への入れ替え作業を省略することができるという効果がある。
【００１３】
本願発明に係る買い物袋は、袋本体の内側に第１のポケットを形成する第１のポケットシートと、第２のポケットを形成する第２のポケットシートが、袋本体の縫製部を挟み込むようにして設けられているので、前述したように買い物カゴに装着した時に、切れ目が略Ｖ字状に拡がって袋本体の縫製部に引っ張る方向の力が作用しても、当該縫製部が解けないように保護することができるという効果がある。
【００１４】
本願発明に係る買い物袋は、提げ手の両側が表面部の折返部に縫製されるので、強固に取り付けることができるという効果がある。
【００１５】
本願発明に係る買い物袋は、袋本体の内側を上下２段に仕切るハンモックシートが設けられているので、ハンモックシートに商品を載せることにより、袋本体の底に収納される商品に過剰な重みが加わるのを防止して商品を保護することができ、また卵等の壊れやすい商品をハンモックシートに載せて商品の破損を防止することができるという効果がある。
【００１６】
本願発明に係る買い物袋は、折り畳んだ袋本体をハンモックシートで包み込み、さらにハンモックシートを折り畳んで、接続具と被接続具を接続することにより、携帯に便利なコンパクトサイズにすることができるという効果がある。
【図面の簡単な説明】
【００１７】
【図１】本願発明に係る買い物袋の実施の形態を示す一方から視た全体斜視図である。
【図２】本願発明に係る買い物袋の実施の形態を示す他方から視た全体斜視図である。
【図３】図１の買い物袋の展開斜視図である。
【図４】図１の買い物袋の使用形態を示す斜視図である。
【図５】図１の買い物袋の側面断面図である。
【図６】図３の買い物袋の他の実施の形態を示す展開斜視図である。
【図７】図１の買い物袋の使用形態を示す斜視図である。
【図８】図１の買い物袋の使用形態を示す斜視図である。
【図９】図１の買い物袋の使用形態を示す斜視図である。
【図１０】図１の買い物袋の折り畳み方を示す斜視図である。
【図１１】図１の買い物袋の折り畳み方を示す斜視図である。
【図１２】図１の買い物袋の折り畳み方を示す斜視図である。
【図１３】図１の買い物袋の折り畳み方を示す斜視図である。
【図１４】図１の買い物袋の折り畳み方を示す斜視図である。
【図１５】図１の買い物袋の折り畳み方を示す斜視図である。
【図１６】図１の買い物袋の折り畳み方を示す斜視図である。
【図１７】図１の買い物袋の第１の折り畳み状態を示す斜視図である。
【図１８】図１の買い物袋の第２の折り畳み状態を示す斜視図である。
【発明を実施するための最良の形態】
【００１８】
以下、買い物袋の概要について説明をする。図１、２に示すように、買い物袋１は、第１の表面部１５と第２の表面部１７とからなり、第１の表面部１５の両側と第２の表面部１７の両側が接合されて縫製され、上部に商品を出し入れする開口４が形成された袋本体２と、第１の表面部１５と第２の表面部１７の上部に両端が縫製されて取り付けられた第１及び第２の提げ手５ａ、５ｂとからなる。
【００１９】
前記第１の表面部１５と第２の表面部１７の両側は、所定位置Ｐまで縫製部４８，４９が形成され、所定位置Ｐから上端Ａまで分離されて切れ目４６，４７が形成されている。一方の切れ目４６を挟む第１の表面部１５の一端と第２の表面部１７の一端は、第１の弾性帯５１によって連結されている。他方の切れ目４７を挟む第１の表面部１５の他端と第２の表面部１７の他端は、第２の弾性帯５２によって連結されている。
【００２０】
図４に示すように、買い物袋１は、弾性帯５１，５２の弾性に抗して切れ目４６，４７を略Ｖ字状に拡げるようにして、第１の表面部１５の上部１５ａと第２の表面部１７の上部１７ａを買い物カゴＲの周縁に引っ掛けて、買い物カゴＲに装着することができる。買い物袋１は、切れ目４６，４７が弾性帯５１，５２によって閉じる方向に付勢されているので、第１の表面部１５の上部１５ａと第２の表面部１７の上部１７ａが買い物カゴＲの周縁に圧着し、買い物カゴＲに確実に装着することができる。買い物袋１は、レジでの精算時に、商品を入れ替え得る別の買い物カゴＲに装着しておき、レジで精算の終了後に、買い物カゴＲから取り外して、買い物カゴＲから買い物袋１への入れ替え作業を省略することができる。
【００２１】
図２に示すように、買い物袋１は、袋本体２の内側であって、一方の縫製部４８を挟む第１の表面部１５と第２の表面部１７に第１のポケットシート８ａを縫製して第１のポケット７ａを形成している。図１に示すように、買い物袋１は、袋本体２の内側であって、他方の縫製部４９を挟む第１の表面部１５と第２の表面部１７に第２のポケットシート８ｂを縫製して第２のポケット７ｂを形成している。
【００２２】
買い物袋１は、袋本体２の内側に第１のポケット７ａを形成する第１のポケットシート８ａと、第２のポケット７ｂを形成する第２のポケットシート８ｂが、袋本体２の縫製部４８，４９を挟み込むようにして設けられているので、前述したように買い物カゴに装着した時に、切れ目４６，４７が略Ｖ字状に拡がって袋本体２の縫製部４８，４９に引っ張る方向の力が作用しても、当該縫製部４８，４９が解けないように保護することができる。
【００２３】
図３に示すように、買い物袋１は、第１及び第２の表面部１５，１７の上端が内側に折り返されて折返部１１ａ，１１ｂが形成され、前記第１の提げ手５ａの両側が第１の表面部１５の折返部１１ａに縫製され、前記第２の提げ手５ｂの両側が第２の表面部１７の折返部１１ｂに縫製されている。買い物袋１は、提げ手５ａ，５ｂの両側が表面部１５，１７の折返部１１ａ，１１ｂに縫製されるので、強固に取り付けることができる。
【００２４】
買い物袋１は、袋本体２の内側に取り付けられる略矩形状のハンモックシート９であって、ハンモックシート９の先端９ａは、第１の表面部１５の折返部１１ａの内側に差し込まれて縫製され、ハンモックシート９の後端９ｂ側には、前記第２の提げ手５ｂの両側に取り付けられた被係止手段３２，３２に着脱可能に係止される係止手段３１，３１が設けられている。
【００２５】
買い物袋１は、袋本体２の内側を上下２段に仕切るハンモックシート９が設けられているので、ハンモックシート９に商品を載せることにより、袋本体２の底に収納される商品に過剰な重みが加わるのを防止して商品を保護することができ、また卵等の壊れやすい商品をハンモックシート９上に載せて商品の破損を防止することができる。
【００２６】
買い物袋１は、ハンモックシート９の右端又は左端の一方に、接続具３５を備えた連結片３６が設けられ、ハンモックシート９の所定箇所には、ハンモックシート９を前記袋本体２を挟み込むようにして折り畳んだ状態の時に、前記連結片３６の接続具３５を接続する被接続具３７，３８が設けられている。買い物袋１は、折り畳んだ袋本体２をハンモックシート９で包み込み、さらにハンモックシート９を折り畳んで、接続具３５と被接続具３７又は３８を接続することにより、携帯に便利なコンパクトサイズにすることができる。
【００２７】
さらに、買い物袋１を図面に基づいて詳細に説明する。まず買い物袋１の製造方法について説明する。図３に示すように、買い物袋１は、袋本体２を構成する略直方形の布部材３と、提げ手５ａ，５ｂを構成する帯状片６ａ，６ｂと、ポケット７ａ，７ｂを構成するポケットシート８ａ，８ｂと、ハンモックシート９とからなる。布部材３は、周辺が折り返され縫製されて折返部１１ａ〜１１ｄが形成されている。布部材３は、底面部１２と、底面部１２の一方に折曲部１３を介して連接された第１の表面部１５と、底面部１２の他方に折曲部１６を介して連接された第２の表面部１７とからなる。
【００２８】
第１の表面部１５は、右側に折曲部１８を介して第１の右側部１９が形成され、左側に折曲部２１を介して第１の左側部２２が形成されている。同様に、第２の表面部１７は、右側に折曲部１８を介して第２の右側部２３が形成され、左側に折曲部２１を介して第２の左側部２４が形成されている。底面部１２は、右側に折曲部１８を介して右折込部２５が形成され、左側に折曲部２１を介して左折込部２６が形成されている。
【００２９】
第１の表面部１５は、折返部１１ａに帯状片６ａの両端が縫製されて提げ手５ａが形成されている。第２の表面部１７は、折返部１１ｂに帯状片６ｂの両側が縫製されて提げ手５ｂが形成されている。提げ手５ｂは、両端が縫製位置から延出しており、両端に雌留め具（被係止手段）３２，３２が設けられている。
【００３０】
前記ハンモックシート９は、布によって略矩形状に形成され、先端縁９ａが第１の表面部１５の折返部１１ａの内側に差し込まれて縫製されている。ハンモックシート９の後端縁９ｂ近傍には、雄留め具（係止手段）３１，３１が固定して取り付けられている。この雄留め具（係止手段）３１，３１は、提げ手５ｂの雌留め具（被係止手段）３２，３２に係脱可能に係止される。なお、ハンモックシート９の表面には、商品が載置されるため、滑り止め部材１０が張設されても良い。また、係止手段３１及び被係止手段３２は、一対の面ファスナーで構成しても構わない。
【００３１】
ハンモックシート９の右端又は左端の一方には、雄面ファスナー（接続具）３５を備えた連結片３６が設けられ、ハンモックシート９の所定箇所には、前記連結片３６の雄面ファスナー（接続具）３５を脱着可能に接続する雌面ファスナー（被接続具）３７，３８が設けられている。ハンモックシート９は、折り畳んだ袋本体２を挟み込むようにして、折り畳むことができ、縦折りの時には雄面ファスナー（接続具）３５が雌面ファスナー（被接続具）３７に接続し、横折りの時には雄面ファスナー（接続具）３５が雌面ファスナー（被接続具）３８に接続することもできる。ハンモックシート９の連結片３６は、ハンモックシート９と別体で構成しているが、図６に示すように、ハンモックシート９と一体に形成しても構わないのは勿論である。
【００３２】
前記布部材３は、右折込部２５が内側に折り込まれるようにして、第１の右側部１９の端縁４１と第２の右側部２３の端縁４２が接合されて縫製される。縫製する長さは、端縁４１，４２の下端Ｂから端縁４１，４２の略中間部より上方の位置Ｐ迄であって、下端Ｂから上端Ａ迄ではない。
【００３３】
また、布部材３は、左折込部２６が内側に折り込まれるようにして、第１の左側部２２の端縁４３と第２の左側部２４の端縁４４が接合されて縫製される。縫製する長さは、端縁４３，４４の下端Ｂから端縁４３，４４の略中間部より上方の位置Ｐ迄であって、下端Ｂから上端Ａ迄ではない。従って、端縁４１，４２の上方の位置Ｐから上端Ａまでは接続されておらず、切れ目４７を形成する。同様に、端縁４３，４４の上方の位置Ｐから上端Ａまでは接続されておらず、切れ目４６を形成する。
【００３４】
一方の切れ目４６を挟む第１の左側部２２の端縁４３と第２の左側部２４の端縁４４は、両端が折返部１１ａ，１１ｂに挿入され縫製された第１のゴムベルト５１（第１の弾性帯）によって連結されている。他方の切れ目４７を挟む第１の右側部１９の端縁４１と第２の右側部２３の端縁４２は、両端が折返部１１ａ，１１ｂに挿入され縫製された第２のゴムベルト５２（第１の弾性帯）によって連結されている。
【００３５】
図１に示すように、ポケットシート８ｂは、第１の右側部１９の内側面と第２の右側部２３の内側面に上部を除いて略コ字状に縫製され、ポケット７ｂを構成する。ポケットシート８ｂは、前記端縁４１，４２の下端Ｂから端縁４１，４２の略中間部より上方の位置Ｐ迄の長さに形成されており、縫製の補強をなしている。図２に示すように、ポケットシート８ａは、第１の左側部２２の内側面と第２の左側部２４の内側面に上部を除いて略コ字状に縫製され、ポケット７ａを構成する。ポケットシート８ａは、前記端縁４３，４４の下端Ｂから端縁４３，４４の略中間部より上方の位置Ｐ迄の長さに形成されており、縫製の補強をなしている。
【００３６】
図７に示すように、買い物袋１は、弾性帯５１，５２の弾性に抗して切れ目４６，４７を略Ｖ字状に拡げるようにして、第１の表面部１５の上部１５ａと第２の表面部１７の上部１７ａを買い物カゴＲの周縁に引っ掛けて、買い物カゴＲに装着することができる。買い物袋１は、切れ目４６，４７が弾性帯５１，５２によって閉じる方向に付勢されているので、第１の表面部１５の上部１５ａと第２の表面部１７の上部１７ａが買い物カゴＲの周縁に圧着し、買い物カゴＲに確実に装着することができる。買い物袋１は、レジでの精算時に、商品を入れ替え得る別の買い物カゴＲに装着しておき、図９に示すように、レジで精算の終了後に、買い物カゴＲから取り外して、買い物カゴＲから買い物袋１への入れ替え作業を省略することができる。買い物袋１は、前記弾性体５１，５２を連結金具Ｃで連結することによって、袋本体２の開口４を閉じることできる。
【００３７】
図８に示すように、買い物袋１は、袋本体２の内側に取り付けられる略矩形状のハンモックシート９の雄留め具（係止手段）３１，３１を、第２の提げ手５ｂの両側に取り付けられた雌留め具（被係止手段）３２，３２に着脱可能に係止することにより、ハンモックシート９で袋本体２の内側を上下２段に仕切ることができる。このハンモックシート９に商品を載せることにより、袋本体２の底に収納される商品に過剰な重みが加わるのを防止して商品を保護することができ、また卵等の壊れやすい商品をハンモックシート９上に載せて商品の破損を防止することができる。
【００３８】
次に買い物袋１の折り畳み方について説明する。図１０に示すように、第２の表面部１７に第１の表面部１５を重ねて袋本体２を扁平にし、ハンモックシート９を引き出して、第２の表面部１７側を設置する。図１１に示すように、袋本体２をひっくり返してハンモックシート９の上に重ね合わせ、折返部１１ｂを折り返して、提げ手５ｂの雌留め具（非係止手段）３２を露出させておく。
【００３９】
図１２に示すように、袋本体２の左右両側を内側に折り畳んで略ハンモックシート９の大きさにし、ハンモックシート９の連結片３６を表出させる。図１３、１４に示すように、袋本体２の上下両側を内側に折り畳んでハンモックシート９より小さくする。なお、提げ手５ｂの雌留め具（非係止手段）３２は露出させておく。図１５に示すように、ハンモックシート９を折曲し、ハンモックシート９の雄留め具（係止手段）３１を提げ手５ｂ（第２の表面部１７）の雌留め具（非係止手段）３２に係脱可能に係止させる。
【００４０】
買い物袋１は、図１５に示すように折り畳んだ後、図１６に示すように、下側から上側に丸めるように折り畳んで棒状にし、図１７に示すように、二つ折りにして連結片３６の雄面ファスナー（接続具）３５をハンモックシート９の雌面ファスナー（被接続具）３７又は３８に着脱可能に接続して、小さく折り畳むことができる。また、買い物袋１は、図１５に示すように折り畳んだ後、図１８に示すように、左側から右側に二つ折りにして扁平状にし、連結片３６の雄面ファスナー（接続具）３５をハンモックシート９の雌面ファスナー（被接続具）３７又は３８に着脱可能に接続して、薄く折り畳むことができる。
【００４１】
このように、買い物袋１は、コンパクトに折り畳むことができるので、携帯に便利である。また、買い物カゴＲに装着できるので、レジでの精算後の商品の入れ替え作業を省略して迅速に買い物をすることができる。さらに、ポケットシート８ａ，８ｂが本来の収納機能とは別に縫製部４８，４９の縫い目が解れないように保護しているので、寿命を大幅に向上している。
【産業上の利用可能性】
【００４２】
本願発明は、スーパーマーケット、コンビニエンスストアの買い物カゴに装着することができる買い物袋として利用可能である。
【符号の説明】
【００４３】
Ａ  上端
Ｂ  下端
Ｃ  連結金具
Ｐ  所定位置
Ｒ  買い物カゴ
１  買い物袋
２  袋本体
３  布部材
４  開口
５ａ  提げ手
５ｂ  提げ手
６ａ  帯状片
６ｂ  帯状片
７ａ  ポケット
７ｂ  ポケット
８ａ  ポケットシート
８ｂ  ポケットシート
９  ハンモックシート
９ａ  先端縁
９ｂ  後端縁
１０  滑り止め部材
１１  折返部
１１ａ  折返部
１１ｂ  折返部
１１ｃ  折返部
１１ｄ  折返部
１２  底面部
１３  折曲部
１５  第１の表面部
１５ａ  上部
１６  折曲部
１７  第２の表面部
１７ａ  上部
１８  折曲部
１９  第１の右側部
２１  折曲部
２２  第１の左側部
２３  第２の右側部
２４  第２の左側部
２５  右折込部
２６  左折込部
３１  雄留め具（係止手段）
３２  雌留め具（被係止手段）
３５  雄面ファスナー（接続具）
３６  連結片
３７  雌面ファスナー（被接続具）
３８  雌面ファスナー（被接続具）
４１  端縁
４２  端縁
４３  端縁
４４  端縁
４６  切れ目
４７  切れ目
４８  縫製部
４９  縫製部
５１  第１のゴムベルト（第１の弾性帯）
５２  第２のゴムベルト（第１の弾性帯）
【図１】
2010246644.tif 000003
【図２】
2010246644.tif 000004
【図３】
2010246644.tif 000005
【図４】
2010246644.tif 000006
【図５】
2010246644.tif 000007
【図６】
2010246644.tif 000008
【図７】
2010246644.tif 000009
【図８】
2010246644.tif 000010
【図９】
2010246644.tif 000011
【図１０】
2010246644.tif 000012
【図１１】
2010246644.tif 000013
【図１２】
2010246644.tif 000014
【図１３】
2010246644.tif 000015
【図１４】
2010246644.tif 000016
【図１５】
2010246644.tif 000017
【図１６】
2010246644.tif 000018
【図１７】
2010246644.tif 000019
【図１８】
2010246644.tif 000020